(57)【特許請求の範囲】
【請求項１】
コンタクトチップ（３）を有するプラグシャフト（１）と、コンタクトスリーブ（２）とを備え、必要に応じて前記コンタクトスリーブ（２）と前記コンタクトチップ（３）との間にコンタクトリング（４）が設けられているジャックプラグとの電気的接続を実現するジャックソケットであって、
プラグハウジング（１０）と、前記プラグハウジング（１０）により支持される、スリーブコンタクト（２０）と、チップコンタクト（３０）と、チップスイッチングコンタクト（４０）とを含む複数のコンタクトと、を備え、
前記プラグハウジング（１０）は、その挿入端部（１３）から中心軸線（１２）の方向に前記ジャックプラグが挿入される収容スペース（１１）を有し、
前記スリーブコンタクト（２０）は、前記ジャックプラグの前記コンタクトスリーブ（２）に接続されるコンタクトセクション（２２）と、前記スリーブコンタクト（２０）と電気的接続を実現するコネクションセクション（２１）とを有し、
前記チップコンタクト（３０）は、その端部に取り付けられ、前記ジャックプラグの挿入中に前記コンタクトチップ（３）により始端位置から終端位置まで動かされ、前記ジャックプラグの挿入状態において前記コンタクトチップ（３）からチップコンタクトポイント（３３）に接続されるコンタクトセクション（３２）と、前記チップコンタクト（３０）との電気的接続を実現するコネクションセクション（３１）とを有し、
前記チップスイッチングコンタクト（４０）は、前記チップコンタクト（３０）の前記コンタクトセクション（３２）が前記始端位置にあるとき当該コンタクトセクション（３２）のチップスイッチングコンタクトポイント（３９）に当接し、前記チップコンタクト（３０）の前記コンタクトセクション（３２）が前記終端位置にあるとき当該コンタクトセクション（３２）から離反するコンタクトセクション（４２）と、前記チップスイッチングコンタクト（４０）との電気的接続を実現するコネクションセクション（４１）とを有し、
前記複数のコンタクト（２０）（３０）（４０）の前記コネクションセクション（２１）（３１）（４１）は、前記挿入端部（１３）と反対側の前記プラグハウジング（１０）の取付端部（１４）から突出し、前記プラグハウジング（１０）の収容スペース（１１）の中心軸線（１２）に対して平行な突出部を有し、
前記チップコンタクト（３０）の前記コンタクトセクション（３２）は、前記チップコンタクトポイント（３３）及び前記チップスイッチングコンタクトポイント（３９）を包含する領域において、前記プラグハウジング（１０）の収容スペース（１１）の中心軸線（１２）に対して非平行な少なくとも１つの延設部を有し、
前記チップコンタクト（３０）の前記コンタクトセクション（３２）の前記チップコンタクトポイント（３３）及び前記チップスイッチングコンタクトポイント（３９）は、前記プラグハウジング（１０）の収容スペース（１１）の中心軸線（１２）に対して非平行な方向について離間し、
前記チップコンタクトポイント（３３）が、前記チップスイッチングコンタクトポイント（３９）よりも、前記チップコンタクト（３０）の前記コンタクトセクション（３２）が取り付けられる前記チップコンタクト（３０）の前記端部（３４）から離間し、
前記プラグハウジング（１０）の収容スペース（１１）の中心軸線（１２）に対して垂直な方向を視線方向とする側面図において、前記ジャックソケットは異なるコンタクトの部間の複数の交差点を有し、
当該交差点のそれぞれにおける前記コンタクトの交差部分が前記プラグハウジング（１０）の前記収容スペース（１１）の中心軸線（１２）に対して異なる距離を有する一方、前記プラグハウジング（１０）の前記収容スペース（１１）の中心軸線（１２）の周方向における当該それぞれのコンタクトの交差部分が等角の位置にあることを特徴とするジャックソケット。
【請求項２】
請求項１記載のジャックソケットにおいて、
前記プラグハウジング（１０）により支持されている前記複数のコンタクトにはリングコンタクト（５０）及びリングスイッチングコンタクト（６０）が含まれ、
前記リングコンタクト（５０）は、その端部に取り付けられ、前記ジャックプラグの挿入中に前記コンタクトリング（４）により始端位置から終端位置に動かされ、前記ジャックプラグの挿入状態において前記コンタクトリング（４）からリングコンタクトポイント（５３）に接続されるコンタクトセクション（５２）と、前記リングコンタクト（５０）との電気的接続を実現するコネクションセクション（５１）とを有し、
前記リングスイッチングコンタクト（６０）は、前記リングコンタクト（５０）の前記コンタクトセクション（５２）が前記始端位置にあるときに、前記リングコンタクト（５０）の前記コンタクトセクション（５２）のリングスイッチングコンタクトポイント（５９）に当接し、前記リングコンタクト（５０）の前記コンタクトセクション（５２）が前記終端位置にあるときに、前記リングスイッチングコンタクトポイント（５９）から離反するコンタクトセクション（６２）と、前記リングスイッチングコンタクト（６０）との電気的接続を実現するコネクションセクション（６１）とを有することを特徴とするジャックソケット。
【請求項３】
請求項２記載のジャックソケットにおいて、
前記リングコンタクト（５０）の前記コンタクトセクション（５２）は、前記リングコンタクトポイント（５３）及び前記リングスイッチングコンタクトポイント（５９）を包含する領域において、前記プラグハウジング（１０）の収容スペース（１１）の中心軸線（１２）に対して非平行な少なくとも１つの延設部を有し、
前記リングコンタクト（５０）の前記コンタクトセクション（５２）の前記リングコンタクトポイント（５３）及び前記リングスイッチングコンタクトポイント（５９）は、前記プラグハウジング（１０）の収容スペース（１１）の中心軸線（１２）に対して非平行な方向について離間し、
前記リングコンタクトポイント（５３）が、前記リングスイッチングコンタクトポイント（５９）よりも、前記リングコンタクト（５０）の前記コンタクトセクション（５２）が取り付けられる前記リングコンタクト（５０）の前記端部（５４）から離れていることを特徴とするジャックソケット。
【請求項４】
請求項２又は３記載のジャックソケットにおいて、
前記プラグハウジング（１０）の前記取付端部（１４）において、前記複数のコンタクト（２０）（３０）（４０）（５０）（６０）の前記コネクションセクション（２１）（３１）（４１）（５１）（６１）の端部（２５）（３５）（４５）（５５）（６５）は仮想の円上に配置され、当該円の周方向に前記スリーブコンタクト（２０）を基準として時計回りに前記リングスイッチングコンタクト（６０）、リングコンタクト（５０）、チップコンタクト（３０）及び前記チップスイッチングコンタクト（４０）の順に配置されていることを特徴とするジャックソケット。
【請求項５】
請求項２〜４のうちいずれか１つに記載のジャックソケットにおいて、
前記リングコンタクト（５０）及び前記リングスイッチングコンタクト（６０）のそれぞれが、前記コンタクトセクション（５２）（６２）と前記リングコンタクト（５０）及び前記リングスイッチングコンタクト（６０）のそれぞれとを接続し、少なくとも部分的に前記プラグハウジング（１０）の前記収容スペース（１１）の中心軸線（１２）に対して平行にのびる延設部を有するリンク（５６）（６６）を備えていることを特徴とするジャックソケット。
【請求項６】
請求項５記載のジャックソケットにおいて、
前記収容スペース（１１）の中心軸線（１２）に対して垂直な方向を視線方向とする側面図において、前記リングコンタクト（５０）の前記リンク（５６）及び前記リングスイッチングコンタクト（６０）の前記リンク（６６）が、前記チップコンタクト（３０）の前記コンタクトセクション（３２）との交差点を有し、かつ、当該交差点において前記チップコンタクト（３０）の前記コンタクトセクション（３２）よりも前記収容スペース（１１）の中心軸線（１２）から離れていることを特徴とするジャックソケット。
【請求項７】
請求項１〜６のうちいずれか１つに記載のジャックソケットにおいて、
前記スリーブコンタクト（２０）が、その前記コンタクトセクション（２２）と前記コネクションセクション（２１）とを接続し、少なくとも部分的に前記収容スペース（１１）の中心軸線（１２）に対して平行にのびる延設部を有するリンク（２６）を備えていることを特徴とするジャックソケット。
【請求項８】
請求項７記載のジャックソケットにおいて、
前記収容スペース（１１）の中心軸線（１２）に対して垂直な方向を視線方向とする側面図において、前記スリーブコンタクト（２０）の前記リンク（２６）が、リングスイッチングコンタクト（６０）の前記コンタクトセクション（６２）及び前記チップスイッチングコンタクト（４０）の前記コンタクトセクション（４２）のそれぞれとの交差点を有し、かつ、当該交差点において前記リングスイッチングコンタクト（６０）の前記コンタクトセクション（６２）及び前記チップスイッチングコンタクト（４０）の前記コンタクトセクション（４２）よりも前記収容スペース（１１）の中心軸線（１２）から離れていることを特徴とするジャックソケット。
【請求項９】
請求項５〜８のうちいずれか１つに記載のジャックソケットにおいて、
リングコンタクト（５０）の前記リンク（５６）が、前記収容スペース（１１）の前記中心軸線（１２）に対して平行な延設部を有する第１部分と、前記収容スペース（１１）の前記中心軸線（１２）に対して垂直な延設部を有する第２部分とを有し、
前記リンク（５６）の前記第２部分が、前記リングコンタクト（５０）の前記コンタクトセクション（５２）に取り付けられ、前記リンク（５６）の前記第１部分が、前記リンク（５６）の前記第２部分を前記リングコンタクト（５０）の前記コネクションセクション（５１）に接続することを特徴とするジャックソケット。
【請求項１０】
請求項１〜９のうちいずれか１つに記載のジャックソケットにおいて、
前記チップコンタクト（３０）が、その前記コンタクトセクション（３２）と前記コネクションセクション（３１）とを接続し、少なくとも部分的に前記収容スペース（１１）の中心軸線（１２）に対して垂直にのびる延設部を有するリンク（３６）を備えていることを特徴とするジャックソケット。
【請求項１１】
請求項１〜１０のうちいずれか１つに記載のジャックソケットにおいて、
前記チップコンタクト（３０）の前記コネクションセクション（３１）の端部（３５）及び前記コンタクトセクション（３２）の前記チップコンタクトポイント（３３）が、前記収容スペース（１１）の中心軸線（１２）の回りの周方向に９０°より大きく離間して配置されていることを特徴とするジャックソケット。
【請求項１２】
請求項２〜１０のうちいずれか１つに記載のジャックソケットにおいて、
リングコンタクト（５０）の前記コネクションセクション（５１）の端部（５５）及び前記コンタクトセクション（５２）の前記リングコンタクトポイント（５３）が、前記収容スペース（１１）の中心軸線（１２）の回りの周方向に９０°より大きく離間して配置されていることを特徴とするジャックソケット。
【請求項１３】
請求項１〜１２のうちいずれか１つに記載のジャックソケットにおいて、
前記チップコンタクト（３０）の前記コンタクトセクション（３２）の前記チップコンタクトポイント（３３）及びリングコンタクト（５０）の前記コンタクトセクション（５２）の前記リングコンタクトポイント（５３）が、前記収容スペース（１１）の中心軸線（１２）の回りの周方向に１２０°以上離間して配置されていることを特徴とするジャックソケット。
【請求項１４】
請求項１〜１３のうちいずれか１つに記載のジャックソケットにおいて、
前記チップコンタクト（３０）の前記コネクションセクション（３２）を通り、前記チップコンタクトポイント（３３）及び前記収容スペース（１１）の前記中心軸線（１２）を通る断面図において、前記チップコンタクト（３０）の前記コネクションセクション（３２）が、前記コンタクトチップ（３）に向かう凸状又はＶ字形状部分（３０）であって、前記プラグハウジング（１０）の前記取付端部（１４）に向かう方向にのびる拡張部（３１）に続く部分を有し、
前記チップコンタクト（３０）の前記コンタクトセクション（３２）を通り、前記チップコンタクトポイント（３３）及び前記収容スペース（１１）の前記中心軸線（１２）を通る断面図において、前記コンタクトセクション（３２）の延設方向が前記収容スペース（１１）の前記中心軸線（１２）に対して１５°未満の角度で近接していることを特徴とするジャックソケット。
【請求項１５】
請求項１〜１４のうちいずれか１つに記載のジャックソケットにおいて、
前記プラグハウジング（１０）が、前記収容スペース（１１）を少なくとも部分的に前記プラグハウジング（１０）の前記取付端部（１４）に接近させ、かつ、前記プラグシャフト（１）の挿入を制限するための前記コンタクトチップ（３）の制動部（１７）を構成する底部（１０ａ）を有することを特徴とするジャックソケット。
【請求項１６】
請求項１５記載のジャックソケットにおいて、
前記プラグハウジング（１０）の前記底部（１６ａ）が、前記ジャックプラグの挿入状態において前記コンタクトチップ（３）の端部が嵌入される溝部（１６）を備え、前記溝部（１６）の縁部が前記コンタクトチップ（３）の前記制動部（１７）を構成することを特徴とするジャックソケット。
【発明の詳細な説明】
【技術分野】
【０００１】
本発明は、ジャックソケットに関する。
【背景技術】
【０００２】
ジャックプラグは、例えばオーディオ機器に用いられている国際的によく知られている電気的プラグコネクタである。ジャックプラグの設計はＥＩＡ  ＲＳ−４５３又はＩＥＣ  ６０６０３−１１規格により標準化されている。ジャックプラグは英語で「ＴＲＳ  ｃｏｎｎｅｃｔｏｒ」と表記され、口語的に「ａｕｄｉｏ  ｐｌｕｇ」と表記される。
【０００３】
ジャックプラグは、端部に設けられたコンタクトチップを有し、縮径部を有するプラグシャフト（＝オスプラグ部）を備えている。プラグシャフトのスリーブ状の部分（コンタクトスリーブ（単に「スリーブ」ともいう。））により電気的接続が実現される。コンタクトチップとコンタクトスリーブの間にコンタクトリングが配置され、これにより例えばステレオプラグを構成するもう１つの電気的接続が実現される。各コンタクトはインシュレータにより絶縁されている。
【０００４】
ジャックソケットはジャックプラグの相手方のコネクタとして機能する。ジャックソケットは、ジャックプラグのコンタクトスリーブに接続されるスリーブコンタクトと、ジャックプラグのコンタクトチップに接続されるチップコンタクトと、ジャックプラグのコンタクトリングに接続されるリングコンタクトとを備えている。コンタクトリングがないジャックプラグが挿入された場合、リングコンタクトは（コンタクトスリーブに接触するものの）機能しない。
【０００５】
ジャックソケットは多くの場合、付加的なスイッチングコンタクトを備えている。ジャックプラグが挿入されていない状態でチップスイッチングコンタクトはチップコンタクトに接続される。ジャックプラグが挿入された場合、チップコンタクトの端部に接続されるチップコンタクトのコンタクトセクションは、コンタクトチップによってそのばね弾性復元力に抗して始端位置から終端位置まで動かされる。ジャックソケットが挿入されていない状態でチップスイッチングコンタクトポイントにおいてチップスイッチングに対して接続されるチップコンタクトのコンタクトセクションは、結果的にチップスイッチングコンタクトから離れる。
【０００６】
ジャックプラグが挿入されている間、リングコンタクト及びリングスイッチングコンタクトの電気的接続は妨げられている。ジャックプラグが挿入されている間、リングコンタクトの端部に接続されるリングコンタクトのコンタクトセクションは始端位置から終端位置まで変位する。ジャックプラグが挿入されていない状態において、リングスイッチングコンタクトは、リングコンタクトのコンタクトセクションに対して、リングコンタクトのコンタクトセクションのリングスイッチングコンタクトポイントにおいて接続される。終端位置に揺動したとき、リングスイッチングコンタクトは当該コンタクトポイントから離れる。
【０００７】
ワイドスプレッド型のジャックソケットの設計に際して、ジャックソケットの複数のコンタクトのコネクションセクションがはんだ付けされる。これにより、ジャックソケットは回路基板に直接的に実装される。ホリゾンタルデザイン（「ホリゾンタルジャックソケット」ともいう。）及びバーティカルデザイン（「バーティカルジャックソケット」ともいう。）が用いられている。ホリゾンタルデザインにおいて、ジャックプラグのプラグシャフトの収容のためのスペースの中心軸線は回路基板に対して平行である。一方、バーティカルデザインにおいて、当該中心軸線は回路基板に対して垂直である。
【０００８】
ホリゾンタルデザインは、スリーブ、リング及びチップコンタクトのそれぞれのコネクションセクションがハウジングの一方側に一列に配置される場合に一般的に採用され、当該コネクションセクションは、中心軸線に対して垂直な縦方向にのびるプラグハウジングの収容スペースを有する。ハウジングの反対側において、スリーブ、リング及びチップコンタクトのそれぞれのスイッチングコンタクトのコネクションセクションが一列に配置され、当該コネクションセクションもプラグハウジングの収容スペースの中心軸線に対して垂直な方向にのびている。すべてのコンタクトのコネクションセクションは相互に平行であり、プラグハウジングの収容スペースの中心軸線に対して垂直な方向（回路基板の面に対して垂直な方向）について、回路基板を搭載するためのプラグハウジングの平坦な側部から突設されている。
【０００９】
バーティカルデザインにおいて、各コンタクトのコネクションセクションはプラグハウジングの挿入端部の反対側にある連結端部から突出し、プラグハウジングの収容スペースの中心軸線に対して平行にのびている。当該デザインにおいて、スリーブスイッチングコンタクトは通常は設けられておらず、ジャックソケットは５つのコンタクト及び５つのコネクションセクションを備えている。プラグハウジングの収容スペースの中心軸線に対して垂直な方向を視線方向として各コンタクトをみたとき、チップ及びリングコンタクトのそれぞれのコンタクトセクションは中心軸線に対して垂直な方向にのびている。プラグシャフトのコンタクトチップに当接するチップコンタクトのチップコンタクトポイントは、非挿入状態でチップスイッチングコンタクトに当接するチップスイッチングコンタクトポイントよりも、チップコンタクトのコンタクトセクションが取り付けられている端部に対して近くに配置されている。
【００１０】
その一方、リングコンタクトについて、ジャックプラグのコンタクトリングに対して当接するリングコンタクトポイントは、ジャックソケットの非挿入状態においてリングスイッチングコンタクトに当接するところのリングスイッチングコンタクトポイントよりも、リングコンタクトのコンタクトセクションが取り付けられる端部に対して近くに配置されている。その結果、ジャックプラグの挿入中にリングコンタクトのコンタクトセクションの揺らぎ（ピボッティング）がリングコンタクト及びリングスイッチングコンタクトの間のコンタクトポイントに伝わり、挿入状態において当該コンタクトの間隔が十分に大きく維持される。
【００１１】
ジャックプラグのデザインの標準化により、特にコンタクトチップの分野において詳細な設計変更が認容され、実際に製造業者の間でコンタクトチップ及び縮径部の正確な形状は異なっている。その結果、ジャックプラグがジャックソケットに挿入された場合、特にチップコンタクトのコンタクトセクションの安定性を変化させるような揺らぎ（ピボッティング）が生じる。そして、特にケーブルがジャックプラグに対して斜めに引っ張られた場合、チップコンタクトのコンタクトセクションとチップスイッチングとの間隔が不十分となる。これにより機能不全となる。
【００１２】
バーティカルジャックソケットに関して、既存のコネクションセクションの配置が標準として受け入れられ、かつ、異なる製造業者により同じ形態で使用されることに留意することが重要である。コネクションセクションの当該構成が維持されることが重要である。
【００１３】
市場に流通しておらず、使用頻度が低いが、各コンタクトのコネクションセクションの構成が前記構成とは異なるジャックソケットのホリゾンタル及びバーティカルデザインも知られている（特許文献１〜３参照）。
【先行技術文献】
【特許文献】
【００１４】
【特許文献１】米国特許公報  ＵＳ７，１９８，５０４  Ｂ２
【特許文献２】米国特許公報  ＵＳ６，６９０，８０１  Ｂ２
【特許文献３】米国特許公報  ＵＳ７，３４１，４９１  Ｂ２
【発明の概要】
【発明が解決しようとする課題】
【００１５】
本発明は、ジャックプラグが挿入されているときのチップコンタクト及びチップスイッチングコンタクトの電気的接続の支障に対する信頼性が向上される点で改良されたジャックソケットを提供することを課題とする。
【課題を解決するための手段】
【００１６】
本発明は、コンタクトチップを有するプラグシャフトと、コンタクトスリーブとを備え、必要に応じて前記コンタクトスリーブと前記コンタクトチップとの間にコンタクトリングが設けられているジャックプラグとの電気的接続を実現するジャックソケットであって、プラグハウジングと、前記プラグハウジングにより支持される、スリーブコンタクトと、チップコンタクトと、チップスイッチングコンタクトとを含む複数のコンタクトと、を備え、前記プラグハウジングは、その挿入端部から中心軸線の方向に前記ジャックプラグが挿入される収容スペースを有し、前記スリーブコンタクトは、前記ジャックプラグの前記コンタクトスリーブに接続されるコンタクトセクションと、前記スリーブコンタクトと電気的接続を実現するコネクションセクションとを有し、前記チップコンタクトは、その端部に取り付けられ、前記ジャックプラグの挿入中に前記コンタクトチップにより始端位置から終端位置まで動かされ、前記ジャックプラグの挿入状態において前記コンタクトチップからチップコンタクトポイントに接続されるコンタクトセクションと、前記チップコンタクトとの電気的接続を実現するコネクションセクションとを有し、前記チップスイッチングコンタクトは、前記チップコンタクトの前記コンタクトセクションが前記始端位置にあるとき当該コンタクトセクションのチップスイッチングコンタクトポイントに当接し、前記チップコンタクトの前記コンタクトセクションが前記終端位置にあるとき当該コンタクトセクションから離反するコンタクトセクションと、前記チップスイッチングコンタクトとの電気的接続を実現するコネクションセクションとを有し、前記複数のコンタクトの前記コネクションセクションは、前記挿入端部と反対側の前記プラグハウジングの取付端部から突出し、前記プラグハウジングの収容スペースの中心軸線に対して平行な突出部を有するジャックソケットに関する。
【００１７】
本発明の課題は、前記チップコンタクトの前記コンタクトセクションは、前記チップコンタクトポイント及び前記チップスイッチングコンタクトポイントを包含する領域において、前記プラグハウジングの前記収容スペースの中心軸線に対して非平行な少なくとも１つの延設部を有し、前記チップコンタクトの前記コンタクトセクションの前記チップコンタクトポイント及び前記チップスイッチングコンタクトポイントは、前記プラグハウジングの収容スペースの中心軸線に対して非平行な方向について離間し、前記チップコンタクトポイントが、前記チップスイッチングコンタクトポイントよりも、前記チップコンタクトの前記コンタクトセクションが取り付けられる前記チップコンタクトの前記端部から離間し、前記プラグハウジングの収容スペースの中心軸線に対して垂直な方向を視線方向とする側面図において、前記ジャックソケットは異なるコンタクトの部間の交差点を有し、当該交差点における各コンタクトの交差部分と前記プラグハウジングの前記収容スペースの中心軸線とのそれぞれの距離が互いに異なるとともに、前記プラグハウジングの前記収容スペースの中心軸線の円周方向における当該各コンタクトの交差部分のそれぞれの角度位置が互いに同一であることを特徴とするジャックソケットにより解決される。
また、本発明により、ジャックソケットにおける各コンタクトのコネクションセクションの従前の配置が維持される。
【００１８】
本発明のジャックソケットによれば、チップコンタクトのコンタクトセクションが、チップコンタクトポイント及びチップスイッチングコンタクトポイントを好ましくはその全長にわたり包含する領域において、プラグハウジングの収容スペースの中心軸線に対して非平行な少なくとも１つの延設部を有している。チップコンタクトのコンタクトセクションのチップコンタクトポイント及びチップスイッチングコンタクトポイントは、プラグハウジングの収容スペースの中心軸線に対して非平行な方向について離間している。チップコンタクトのコンタクトセクションのチップコンタクトポイント及びチップスイッチングコンタクトポイントは、プラグハウジングの収容スペースの中心軸線回りの周方向について離間している。チップコンタクトポイントが、チップスイッチングコンタクトポイントよりも、チップコンタクトのコンタクトセクションが取り付けられるチップコンタクトの端部から離間している。
【００１９】
ジャックプラグがジャックソケットに挿入されるとき、チップコンタクトのコンタクトセクションはそのばね弾性復元力に抗して始端位置から終端位置に動かされる。チップスイッチングコンタクトポイントの変位量は、チップコンタクトポイントの領域の変位量よりも大きい。ジャックプラグのコンタクトチップの形状が若干異なっていても、チップコンタクト及びチップスイッチングコンタクトの間の電気的接続の開放の信頼性を向上させ、かつ、ジャックソケットがコンパクトに設計される。
【００２０】
リングコンタクトのコンタクトセクションが、少なくともリングコンタクトポイント及びリングスイッチングコンタクトポイントを好ましくはその全長にわたり包含する領域において、プラグハウジングの収容スペースの中心軸線に対して非平行な、好ましくは垂直な少なくとも１つの延設部を有していることが好ましい。リングコンタクトのコンタクトセクションのリングコンタクトポイント及びリングスイッチングコンタクトポイントは、プラグハウジングの収容スペースの中心軸線に対して非平行な方向、特に垂直な方向について離間している。リングコンタクトのコンタクトセクションのリングコンタクトポイント及びリングスイッチングコンタクトポイントは、プラグハウジングの収容スペースの中心軸線回りの周方向（＝プラグハウジング又は収容スペースの周方向）について離間している。リングコンタクトポイントが、リングスイッチングコンタクトポイントよりも、リングコンタクトのコンタクトセクションが取り付けられるリングコンタクトの端部から離間している。
【００２１】
これにより、ジャックソケットがコンパクトに設計されても、ジャックプラグが挿入されるときのリングコンタクト及びリングスイッチングコンタクトの間の電気的接続の開放の信頼性を向上させることができる。
【００２３】
チップコンタクトポイントのコンタクトセクションが、当該コンタクトセクションを通る断面において、当該コンタクトセクションにおいてプラグハウジングの取付端部に向かう方向にのびる拡張部が連結され、挿入されたジャックプラグのコンタクトチップに対して凸状又はＶ字形状部分を有し、当該部分により当該コンタクトセクションが、当該コンタクトセクション及び延設部並びにジャックソケットを通る断面において、中心軸線に対して１５°未満の角度をなす、好ましくは実質的に平行である。
【００２４】
拡張部により、チップコンタクトのコンタクトセクションがコンタクトチップの縮径部に下降することが制限され、拡張部を有するコンタクトチップの当該コンタクトセクションが、縮径部よりもコンタクトチップの端部に近い部分でそのほぼ全周にわたり支持される。コンタクトチップが異なる形状を有する場合、同様にコンタクトセクションが縮径部に下降することが制限されながら位置決めされる。
【００２５】
ジャックソケットのプラグハウジングが底部であって、収容スペースをプラグハウジングの取付端部に接近させ、かつ、ジャックプラグのプラグシャフトの挿入を制限するためのコンタクトチップの制動部を構成する底部を有することが好ましい。完全な挿入状態において、コンタクトチップはプラグハウジングの底部の制動部に対して当接する。プラグハウジングの底部の、コンタクトチップの先端部が挿入される凹部の縁部により制動部が構成されることが好ましい。当該構成は、チップコンタクトのコンタクトセクションの位置決めの役割を果たし、さまざまな製造元のジャックプラグがジャックソケットに挿入された場合、チップコンタクト及びチップスイッチングコンタクトの電気的接続の開放（遮断）のさらなる信頼性の向上が図られる。
【００２６】
ジャックソケットとプラグ接続されるジャックプラグは、ＥＩＡ  ＲＳ−４５３又はＩＥＣ  ６０６０３−１１規格にしたがっている。当該ジャックプラグは特にオーディオ機器に用いられ、オーディオプラグと呼ばれる。
【００２７】
特に、本発明は６．３５ｍｍジャックプラグに関する。
【００２８】
コンタクト又はその一部の「延設部」に関して、そのほぼ全長にわたる方向は通常の方法で表現される。
【００２９】
本発明の利点及び詳細は添付図面を用いて説明される。
【図面の簡単な説明】
【００３０】
【図１】本発明のジャックソケットの斜視図。
【図２】図１の斜視方向から中心軸線回りに９０°だけ異なる方向から見た本発明のジャックソケットの斜視図。
【図３】図２の斜視方向から中心軸線回りに９０°だけ異なる方向から見た本発明のジャックソケットの斜視図。
【図４】図３の斜視方向から中心軸線回りに９０°だけ異なる方向から見た本発明のジャックソケットの斜視図。
【図５】図１〜図４の斜視方向とは中心軸線回りに角度が異なる方向から見た本発明のジャックソケットの斜視図。
【図６】図１〜図５の斜視方向とは中心軸線回りに角度が異なる方向から見た本発明のジャックソケットの斜視図。
【図７】挿入端部の平面図。
【図８】取付端部の平面図。
【図９】図１のコンタクト以外の構成が省略されたジャックソケットの構成説明図。
【図１０】図２のコンタクト以外の構成が省略されたジャックソケットの構成説明図。
【図１１】図３のコンタクト以外の構成が省略されたジャックソケットの構成説明図。
【図１２】図４のコンタクト以外の構成が省略されたジャックソケットの構成説明図。
【図１３】図１の回転位置におけるジャックソケットの側面図。
【図１４】図２の回転位置におけるジャックソケットの側面図。
【図１５】図３の回転位置におけるジャックソケットの側面図。
【図１６】図４の回転位置におけるジャックソケットの側面図。
【図１７】図１３のＡＡ線断面図。
【図１８】図１４のＢＢ線断面図。
【図１９】ジャックプラグ（一部のみが示されている。）が挿入された図１７に対応するジャックソケットの断面図。
【図２０】ジャックプラグ（一部のみが示されている。）が挿入された図１８に対応するジャックソケットの断面図。
【図２１】図１８のＣＣ線断面図。
【図２２】図１８のＤＤ線断面図。
【図２３】図１８のＥＥ線断面図。
【図２４】ジャックプラグが挿入された図２１に対応するジャックソケットの断面図。
【図２５】ジャックプラグが挿入された図２２に対応するジャックソケットの断面図。
【図２６】ジャックプラグが挿入された図２３に対応するジャックソケットの断面図。
【図２７】図１３のＦＦ線断面図。
【図２８】図１３のＧＧ線断面図。
【発明を実施するための形態】
【００３１】
本発明の一実施形態として、特にオーディオ機器に用いられる６．３５ｍｍジャックプラグソケットの形態のジャックソケット（オーディオジャック）が図示されている。
【００３２】
ジャックソケットは図１９及び図２０に部分的に示されているジャックプラグとの電気的なプラグ接続を実現するために用いられている。ジャックプラグはプラグシャフト（オスコネクタ部）１を備えている。プラグシャフト１はコンタクトスリーブ（又は単に「スリーブ」という。）２及びコンタクトチップ３を有する。コンタクトスリーブ２及びコンタクトチップ３の中間はコンタクトリング（又は単に「リング」という。）４である。コンタクトスリーブ２、コンタクトチップ３及びコンタクトリング４は、インシュレータ５及び６により相互に絶縁されている。コンタクトリング４（及びインシュレータ５及び６のうち一方）は省略されてもよい。プラグシャフト１はプラグハウジング７（図１９及び図２０では一部しか示されていない。）から突出している。
【００３３】
ジャックプラグは、実施例では６．３５ｍｍジャックプラグしか示されていないが、ＥＩＡ  ＲＳ−４５３又はＩＥＣ  ６０６０３−１１規格にしたがって設計されている。
【００３４】
ジャックプラグはそのプラグシャフト１によりメスレセプタクルに対して挿入方向に挿入される。そのコンタクトチップ３の接触に関して、コンタクトスリーブ２及びコンタクトリング４が以下で説明される。当該ジャックソケットはステレオジャックソケットとも呼ばれる。
【００３５】
ジャックソケットは絶縁性材料からなるプラグハウジング１０を備えている。プラグハウジング１０には、ジャックソケットの複数のコンタクト２０，３０，４０，５０，６０が設けられている。プラグハウジング１０は、プラグシャフト１（少なくともその延設部の一部）が挿入され、ジャックプラグ及びジャックソケットの間のプラグ接続を実現するための収容スペース１１を有する。収容スペース１１は中心軸線１２を有する。プラグシャフト１の挿入端部１３は、プラグハウジング１０の収容スペース１１に対して中心軸線１２の方向に挿入される。プラグシャフト１の中心軸線８は収容スペース１１の中心軸線１２と一致している（すなわち、両軸線は相互に平行かつ同一位置に存在する）。
【００３６】
プラグシャフト１の挿入はソケット１５により案内される。これは挿入されたプラグシャフト１をプラグハウジング１０に対して同軸線に保持する。ソケット１５はプラグハウジング１０に対して固定されている。ソケットの外ネジにナットが螺着される。これにより、ジャックソケットが例えばハウジングプレートの収容スロットにおいて機械的に固定されうる。
【００３７】
ソケット１５は金属製であり、以下に説明するスリーブコンタクトに対して電気的に接続される。この点で、ソケット１５はスリーブコンタクトの一部であるとみなされる。ソケット１５が樹脂製とされ、これがプラグハウジング１０の一部であるとみなされてもよい。ソケットはプラグハウジングと一体的に成形されてもよい。
【００３８】
ソケット１５の内部スペースはプラグハウジング１０の収容スペース１１とともにプラグシャフト１のためのメスレセプタクルを構成する。
【００３９】
複数のコンタクト２０，３０，４０，５０，６０のそれぞれは、プラグハウジング１０において挿入端部１３の反対側にある取付端部１４（両端部１３及び１４は中心軸線１２の方向について反対側にあるプラグハウジング１０の端部を構成する）から突出しているコネクションセクション２１，３１，４１，５１，６１を備えている。複数のコネクションセクション２１，３１，４１，５１，６１のそれぞれは中心軸線１２に対して平行な延設部を有している。複数のコンタクト２０，３０，４０，５０，６０のそれぞれの電気的な接続は複数のコネクションセクション２１，３１，４１，５１，６１のそれぞれを介して実現される。例えば、複数のコネクションセクション２１，３１，４１，５１，６１のそれぞれは、回路基板のソルダーアイに挿入されてはんだ付けされ、或いは接続ケーブルにはんだ付けされる。
【００４０】
スリーブコンタクト２０は、プラグシャフト１の挿入状態においてコンタクトスリーブ２を接続するために用いられる。スリーブ２はばね状のコンタクトトング様のコンタクトセクション２２を備えている。ジャックプラグが挿入されたとき、コンタクトセクション２２は動かされ、ジャックプラグの挿入状態では、コンタクトセクション２２のスリーブコンタクトポイント２３はプラグシャフト１のコンタクトスリーブ２に当接する。コンタクトセクション２２はスリーブコンタクト２０の一方の端部２４に取り付けられている。コネクションセクション２１はスリーブコンタクト２０の他方の端部に取り付けられている。コンタクトセクション２２はリンク２６を介してコネクションセクション２１に対して連結されている。リンク２６は、例えばスリーブコンタクト２０の開口部から出現しているプラグハウジング１０の溶接突片により、プラグハウジング１０の搭載位置２７，２８に固定されている。コンタクトセクション２２は折り曲げ加工により、搭載位置２７から端部２４に至るまで、中心軸線１２に接近する部分と、中心軸線１２から離れており端部２４を構成する部分とを有するように形成されている。
【００４１】
中心軸線１２に対して垂直な方向を視線方向とするプラグハウジングの側面図において、スリーブコンタクトポイント２３及び中心軸線１２は当該視線方向に重なっており、スリーブコンタクト２０のコンタクトセクション２２の延設部は中心軸線１２に対して平行である。図１３及び図１５がこの点を示す側面図に該当する。換言すると、プラグハウジングは、中心軸線１２に対して垂直かつスリープコンタクトポイント２３の当接箇所におけるコンタクトスリーブ２に対して垂直な面に対して平行な側面を有する。スリーブコンタクト２０の延設部は全体的に中心軸線１２に対して平行である。そのほか、例えばコンタクトセクション２２及びリンク２６のうち一方又は両方の少なくとも一部が中心軸線１２に対して垂直であってもよい。
【００４２】
ソケット１５は金属製であり、スリーブコンタクト２０の接続のため、スリーブコンタクト２０のコンタクトセクション又はその一部としての役割を果たす。コンタクトスリーブの接続はソケット１５のみを介して実現されてもよい。スリーブコンタクト２０を構成する弾性ばね形状の（コンタクトトング様の）コンタクトセクション２２が好ましい。
【００４３】
チップコンタクト３０は挿入されたジャックプラグのコンタクトチップ３との接続のために用いられる。チップコンタクト３０はコンタクトセクション３２を備え、コンタクトセクション３２のチップコンタクトポイント３３は挿入されたジャックプラグのコンタクトチップ３に対して当接する。チップコンタクト３０の端部３４に連結されている弾性ばねコンタクトセクション３２は、コンタクトトング様に形成されている。
【００４４】
ジャックプラグが挿入されていないとき、コンタクトセクション３２は始端位置（初期位置）にある（図１８及び図２１参照）。ジャックプラグの挿入中、コンタクトチップ３のコンタクトセクション３２はそのばね弾性力に抗して（揺動及び屈曲の一方又により）終端位置に至る。
【００４５】
終端位置においてコンタクトセクション３２は、そのばね弾性力によってコンタクトチップ３の縮径部３ａに係合して、ジャックプラグがジャックソケットから抜けるのを防止する。
【００４６】
コネクションセクション３１はチップコンタクト３０の他方の端部３５に取り付けられている。コンタクトセクション３２はリンク３６を介してコネクションセクション３１に対して連結されている。リンク３６及びコンタクトセクション３２の間でチップコンタクト３０はプラグハウジング１０の支持ポイント３７に当接する。端部３４に取り付けられているコンタクトセクション３２は弾性のあるコンタクトトングを構成する。リンク３６の拡張部が、例えばプラグハウジング１０の点溶接によりプラグハウジング１０の搭載位置３８に対して固定されることにより、チップコンタクト３０がプラグハウジング１０に対して固定される。
【００４７】
中心軸線１２に対して垂直な方向を視線方向とする側面図において、チップコンタクトポイント３３及び中心軸線１２は重なっている。チップコンタクト３０のコンタクトセクション３２は中心軸線１２に対して垂直な横延設部を有している。ジャックソケットは、中心軸線１２に対して垂直な側面であって、チップコンタクトポイント３３により構成されるコンタクトポイントにおけるコンタクトチップ３の（中心軸線１２に対して垂直な）鉛直面法線に対して平行な方向を視線方向とする側面を有する。図１４及び図１６が当該側面図に該当する。リンク３６は、中心軸線１２に対して垂直にのびる延設部を有し、コンタクトセクション３２に対して取り付けられる部分と、当該部分に対して傾斜角度をもって取り付けられ、中心軸線１２に対して平行なコネクションセクション３１に対して取り付けられる部分とを有する。
【００４８】
チップコンタクト３０のコネクションセクション３１の端部３５及びチップコンタクト３０のコンタクトセクション３２のチップコンタクトポイント３３は、中心軸線１２の回りの周方向（プラグハウジング１０又は収容スペース１１の周方向）について９０°を超える間隔をおいて配置されている。
【００４９】
リングコンタクト５０はコンタクトリング４に対する接続のために用いられる。リングコンタクト５０は、ジャックプラグの挿入状態において、コンタクトリング４に対するリングコンタクト５０のリングコンタクトポイント５３に対向するコンタクトセクション５２を有する。リングコンタクト５０の端部５４に取り付けられているばね弾性コンタクトセクション５２はコンタクトトング様に構成されている。ジャックプラグが挿入されていない状態でコンタクトセクション５２は始端位置にある（図１８及び図２２参照）。ジャックプラグの挿入中に、コンタクトセクション５２はプラグシャフト１によりそのばね弾性復元力に抗して終端位置まで変位する（図２０及び図２５参照）。
【００５０】
リングコンタクト５０のコネクションセクション５１は他方の端部５５に取り付けられている。コンタクトセクション５２はリンク５６を介してコネクションセクション５１に対して連結されている。コンタクトセクション５２及びリンク５６の間でリングコンタクト５０はプラグハウジング１０の支持ポイント５７に支持される。端部５４に取り付けられているコンタクトセクション５２は弾性のあるコンタクトトングを構成する。リンク５６の拡張部が、例えばプラグハウジング１０の点溶接によりプラグハウジング１０の搭載位置５８に対して固定されることにより、チップコンタクト３０がプラグハウジング１０に対して固定される。
【００５１】
中心軸線１２に対して垂直な方向を視線方向とする側面図において、リングコンタクトポイント５３及び中心軸線１２は重なっている。リングコンタクト５０のコンタクトセクション５２は中心軸線１２に対して垂直な横延設部を有している。ジャックソケットは、中心軸線１２に対して垂直な側面であって、リングコンタクトポイント５３により構成されるコンタクトポイントにおけるコンタクトリング４の法線に対して平行な方向を視線方向とする側面を有する。図１４及び図１６が当該側面図に該当する。リンク５６は、中心軸線１２に対して平行にのびる延設部を有し、コネクションセクション５１に対して取り付けられる部分と、当該部分に対して傾斜角度をもって取り付けられ、中心軸線１２に対して垂直にのびる延設部を有し、コンタクトセクション５２が取り付けられている部分とを有する。
【００５２】
リングコンタクト５０のコネクションセクション５１の端部５５及びリングコンタクト５０のコンタクトセクション５２のリングコンタクトポイント５３は、中心軸線１２の回りの周方向（プラグハウジング１０又は収容スペース１１の周方向）について９０°を超える間隔をおいて配置されている。
【００５３】
チップコンタクト３０のコンタクトセクション３２のチップコンタクトポイント３３及びリングコンタクト５０のコンタクトセクション５２のリングコンタクトポイント５３は、中心軸線１２の回りの周方向について１２０°、好ましくは１８０°を超える間隔をおいて配置されている（図２４及び図２５参照）。
【００５４】
チップスイッチングコンタクト４０はその端部４４に取り付けられているコンタクトセクション４２を有する。コンタクトセクション４２は中心軸線１２に対して垂直な延設部を有し、チップコンタクト３０のコンタクトセクション３２が始端位置にあるとき、チップコンタクト３０のコンタクトセクション３２に対してそのチップスイッチングコンタクトポイント３９において接続される。チップコンタクト３０のコンタクトセクション３２は、そのチップスイッチングコンタクトポイント３９を例えばチップスイッチングコンタクト４０の端部４４に位置させている。チップスイッチングコンタクト４０のコンタクトセクション４２の屈曲部に取り付け部が設けられ、これを介してコンタクトセクション４２が端部４４までのびている。
【００５５】
チップスイッチングコンタクトポイント３９と、チップコンタクト３０の端部３４との間隔が２ｍｍ未満であることが好ましく、１ｍｍ未満であることが特に好ましい。
【００５６】
チップコンタクト３０のコンタクトセクション３２と、チップスイッチングコンタクト４０のコンタクトセクション４２とが電気的に接続される場合、両コンタクトセクション３２及び４２又はその一部が相互に９０±２０°の範囲の角度に配置されている。
【００５７】
コネクションセクション４１はチップスイッチングコンタクト４０の他方の端部４５に取り付けられている。コネクションセクション４１及びコンタクトセクション４２は相互に傾斜角度をもって直接的に連結され、又はリンク４６を介して連結されている。チップスイッチングコンタクト４０のプラグハウジング１０に対する固定のため、リンク４６の拡張部が設けられ、これがプラグハウジング１０の搭載位置４８に対して例えば点溶接により固定される。
【００５８】
チップコンタクトポイント３３及びチップスイッチングコンタクトポイント３９は、チップコンタクト３０のコンタクトセクション３２の延設部の方向であって、中心軸線１２に対して垂直な方向について間隔をおいて配置されている。チップスイッチングコンタクトポイント３９がチップコンタクトポイント３３よりもチップコンタクト３０の端部３４の近くに配置されている。
【００５９】
ジャックプラグが挿入されると、コンタクトセクション３２は屈曲し、これに代えて又は加えて揺動（ピボット）することにより、チップスイッチングコンタクトポイント３９をコンタクトセクション４２に対して離間させながら、始端位置から終端位置まで変位する。レバー様に構成されているので、チップスイッチングコンタクトポイント３９におけるチップコンタクト３０の動きの振幅（大きさ）は、チップコンタクトポイント３３におけるそれよりも大きい。
【００６０】
リングスイッチングコンタクト６０はその端部６４に取り付けられているコンタクトセクション６２を有する。コンタクトセクション６２は中心軸線１２に対して垂直な延設部を有し、リングコンタクト５０のコンタクトセクション５２が始端位置にあるとき、リングコンタクト５０のコンタクトセクション５２に対してそのリングスイッチングコンタクトポイント５９において接続される。リングコンタクト５０のコンタクトセクション５２は、そのリングスイッチングコンタクトポイント５９を例えばリングスイッチングコンタクト６０の端部６４に位置させている。リングスイッチングコンタクト６０のコンタクトセクション６２の屈曲部に取り付け部が設けられ、これを介してコンタクトセクション６２が端部６４までのびている。
【００６１】
リングスイッチングコンタクトポイント５９と、リングコンタクト５０の端部５４との間隔が２ｍｍ未満であることが好ましく、１ｍｍ未満であることが特に好ましい。
【００６２】
リングコンタクト５０のコンタクトセクション５２と、リングスイッチングコンタクト６０のコンタクトセクション６２とが電気的に接続される場合、両コンタクトセクション５２及び６２又はその一部が相互に９０±２０°の範囲の角度に配置されている。
【００６３】
コネクションセクション６１はリングスイッチングコンタクト６０の他方の端部６５に取り付けられている。コネクションセクション６１及びコンタクトセクション６２は相互に傾斜角度をもって直接的に連結され、又はリンク６６を介して直線状に連結されている。リンク６６の延設部その少なくとも一部が全長にわたり実質的に中心軸線１２に対して平行である。リングスイッチングコンタクト６０のプラグハウジング１０に対する固定のため、コンタクトセクション６２の拡張部が設けられ、これがプラグハウジング１０の搭載位置６８に対して例えば点溶接により固定される。
【００６４】
リングコンタクトポイント５３及びリングスイッチングコンタクトポイント５９は、リングコンタクト５０のコンタクトセクション５２の延設部の方向であって、中心軸線１２に対して垂直な方向について間隔をおいて配置されている。リングスイッチングコンタクトポイント５９がリングコンタクトポイント５３よりもリングコンタクト５０の端部５４の近くに配置されている。
【００６５】
ジャックプラグが挿入されると、コンタクトセクション５２は屈曲し、これに代えて又は加えて揺動（ピボット）することにより、リングスイッチングコンタクトポイント５９をコンタクトセクション６２に対して離間させながら、始端位置から終端位置まで変位する。レバー様に構成されているので、リングスイッチングコンタクトポイント５９におけるリングコンタクト５０の動きの振幅（大きさ）は、リングコンタクトポイント５３におけるそれよりも大きい。
【００６６】
プラグハウジング１０の取付端部１４の側からジャックソケットを見た場合（すなわち、ジャックプラグが挿入される方向に見た場合）、図８に示されているように、コンタクト２０，３０，４０，５０，６０のコネクションセクション２１，３１，４１，５１，６１の端部２５，３５，４５，５５，６５は仮想的な円上に配置されている。チップコンタクト３０、リングコンタクト５０、チップスイッチングコンタクト４０及びリングスイッチングコンタクト６０は、その端部を仮想の矩形の辺上に位置させるように配置されている。スリーブコンタクト２０は、その端部を当該矩形の対角線に対して平行に、かつ、当該矩形の１つの隅角の別の矩形の内側に位置させるように配置されている。スリーブコンタクト２０に続き、時計回りにリングスイッチングコンタクト６０、リングコンタクト５０、チップコンタクト３０及びチップスイッチングコンタクト４０が順に配置されている。
【００６７】
中心軸線１２に対して垂直な方向を視線方向とする側面図においてコンタクトの各部分に注目すると、異なるコンタクトの部分の間に交差点が存在し、当該交差箇所における中心軸線１２からの距離が異なっている。中心軸線１２に対して平行な延設部により、リングコンタクト５０のリンク５６の一部とリングスイッチングコンタクト６０のリンク６６の一部とが、チップコンタクト３０のコンタクトセクション３２と交差している（中心軸線１２に対して垂直な方向を視線方向とする側面図において、チップコンタクトポイント３３及び中心軸線１２が重なっている）（図１４参照）。リンク５６及び６６は、コンタクトセクション３２よりも中心軸線１２との間隔が大きい。
【００６８】
スリーブコンタクト２０のリンク２６は、中心軸線１２に対して平行にのびる延設部を有しており、チップスイッチングコンタクト４０のコンタクトセクション４２及びリングスイッチングコンタクト６０のコンタクトセクション６２に対して交差している（中心軸線１２に対して垂直な方向を視線方向とする側面図においてリンク２６及び中心軸線１２が重なっている）（図１３参照）。リンク２６は、コンタクトセクション４２，６２よりも中心軸線１２との間隔が大きい。
【００６９】
チップコンタクト３０のチップコンタクトポイント３３及びリングコンタクト５０のリングコンタクトポイント５３のそれぞれは、プラグシャフト１の周方向について相互にほぼ反対側の位置においてコンタクトチップ３及びコンタクトリング４のそれぞれに対して当接する（図２４及び図２５参照）。スリーブコンタクト２０のコンタクトセクション２２のスリーブコンタクトポイント２３は、プラグシャフト１の周方向について前記２つの当接点の間に、好ましくは当該２つの当接点のそれぞれと９０°だけずれた位置においてコンタクトスリーブ２に対して当接する。
【００７０】
チップコンタクト３０の断面図において、コンタクトセクション３２の延設部の点であって、チップコンタクトポイント３３が存在し、かつ、中心軸線１２を通る点において、チップコンタクト３０のコンタクトセクション３２がコンタクトチップ３に対して凸状の曲線を描くように形成されている指定部分７０を有する（図２０参照）。指定部分７０はＶ字形状であってもよい。
【００７１】
コンタクトセクション３２の拡張部７１が、プラグハウジング１０の取付端部１４に向かう方向について指定部分７０に取り付けられている。当該断面図においてコンタクトセクション３２は拡張部７１により、中心軸線１２に対して実質的に平行な（中心軸線１２に対する傾斜角度が１５°未満の）姿勢とされている。指定部分７０により、コンタクトセクション３２はコンタクトチップ３に対して縮径部３ａにおいて係合する。拡張部７１により、コンタクトセクション３２は、縮径部３ａとプラグシャフト１の端部との間の範囲でコンタクトチップ３に対してそのほぼ全周にわたり当接することができる。コンタクトセクション３２が縮径部３ａに対してかちっとはめられることにより、チップスイッチングコンタクトポイント３９のチップスイッチングコンタクト４０のコンタクトセクション４２に対する接近が制限される。縮径部３ａの形成により、チップスイッチングコンタクト４０のコンタクトセクション４２とチップコンタクト３０のコンタクトセクション３２との間隔が十分な間隔に維持される。
【００７２】
プラグハウジング１０の底部１０ａには、挿入されたジャックプラグのコンタクトチップ３が係合するところの溝部１６が設けられ、溝部１６はその端部に取り付けられ、プラグシャフト１の挿入を制限する制動部１７をその縁部に構成する。その結果、中心軸線１２の方向について、縮径部３ａを有するコンタクトチップ３が、チップコンタクト３０のコンタクトセクション３２に対して適当に位置決めされる。
【００７３】
本発明のジャックソケットに対してコンタクトリング４がないジャックプラグが挿入されてもよい。この場合、リングコンタクト５０及びリングスイッチングコンタクト６０は機能しなくてもよい。しかし、リングコンタクト５０はジャックプラグの挿入状態においてコンタクトスリーブ２に当接してその終端位置まで動き、リングコンタクト５０が（付加的な）スリーブコンタクト２０として利用されてもよい。リングスイッチングコンタクト６０はスイッチスリーブコンタクトとして用いられてもよい。
【符号の説明】
【００７４】
１‥プラグシャフト、２‥コンタクトスリーブ、３‥コンタクトチップ、３ａ‥縮径部、４‥コンタクトリング、５‥インシュレータ、６‥インシュレータ、７‥プラグハウジング、８‥中心軸線、１０‥プラグハウジング、１０ａ‥底部、１１‥収容スペース、１２‥中心軸線、１３‥挿入端部、１４‥取付端部、１５‥ソケット、１６‥溝部、１７‥制動部、２０‥スリーブコンタクト、２１‥コネクションセクション、２２‥コンタクトセクション、２３‥スリーブコンタクトポイント、２４‥端部、２５‥端部、２６‥リンク、２７‥搭載位置、２８‥搭載位置、３０‥チップコンタクト、３１‥コネクションセクション、３２‥コンタクトセクション、３３‥チップコンタクトポイント、３４‥端部、３５‥端部、３６‥リンク、３７‥支持部、３８‥搭載位置、３９‥チップスイッチングコンタクトポイント、４０‥チップスイッチングコンタクト、４１‥コネクションセクション、４２‥コンタクトセクション、４４‥端部、４５‥端部、４６‥リンク、４８‥搭載位置、５０‥リングコンタクト、５１‥コネクションセクション、５２‥コンタクトセクション、５３‥リングコンタクトポイント、５４‥端部、５５‥端部、５６‥リンク、５７‥支持部、５８‥搭載位置、５９‥リングスイッチングコンタクトポイント、６０‥リングスイッチングコンタクト、６１‥コネクションセクション、６２‥コンタクトセクション、６４‥端部、６５‥端部、６６‥リンク、６８‥搭載位置、７０‥指定部分、７１‥拡張部。
【図１】
0005572173.tif 000002
【図２】
0005572173.tif 000003
【図３】
0005572173.tif 000004
【図４】
0005572173.tif 000005
【図５】
0005572173.tif 000006
【図６】
0005572173.tif 000007
【図７】
0005572173.tif 000008
【図８】
0005572173.tif 000009
【図９】
0005572173.tif 000010
【図１０】
0005572173.tif 000011
【図１１】
0005572173.tif 000012
【図１２】
0005572173.tif 000013
【図１３】
0005572173.tif 000014
【図１４】
0005572173.tif 000015
【図１５】
0005572173.tif 000016
【図１６】
0005572173.tif 000017
【図１７】
0005572173.tif 000018
【図１８】
0005572173.tif 000019
【図１９】
0005572173.tif 000020
【図２０】
0005572173.tif 000021
【図２１】
0005572173.tif 000022
【図２２】
0005572173.tif 000023
【図２３】
0005572173.tif 000024
【図２４】
0005572173.tif 000025
【図２５】
0005572173.tif 000026
【図２６】
0005572173.tif 000027
【図２７】
0005572173.tif 000028
【図２８】
0005572173.tif 000029